(57)【要約】火災避難として使用される梯子110であって、入れ子式の折り畳み式チューブセクションを備える２つの框112と、２つのチューブセクションのそれぞれ上端部に固定された複数のラング114と、ラング114の側端部によって支えられ、梯子を延長状態においてチューブセクションを相互にロックするようにチューブセクションの壁にある穴120に係合する、格納式ばねピン116を有し、前記2つのセクションの各々は、２つの框のそれぞれの一部分をなし、梯子110は、最上部にある框のチューブセクション112aから吊るされることが可能となっており、ばねピン116が係合可能であるチューブセクションの壁にある穴120が、少なくともチューブセクションの軸方向上にあるばねピンと穴の間の自由な遊びがあるように寸法設計されることを特徴としている。【選択図】図３
2015526618.tif 000002
【特許請求の範囲】
【請求項１】
火災避難の際に使用される梯子であって、
前記梯子は、
入れ子式の折り畳み式チューブセクションを備える2つの框と、
2つの前記チューブセクションのそれぞれ上端部に固定された複数のラングと、
前記ラングの側端部によって支えられ、前記梯子の延長状態において前記チューブセクションを相互にロックするように前記チューブセクションの壁にある穴に係合する、格納式ばねピンを有し、
前記2つのセクションの各々は、前記2つの框のそれぞれの一部をなし、
前記梯子は、最上部にある前記框の前記チューブセクションから吊るされることが可能となっており、前記ばねピンと係合可能である前記チューブセクションの壁にある前記穴が、少なくとも前記チューブセクションの軸方向上にある前記ばねピンと前記穴の間の自由な遊びがあるように寸法設計されていることを特徴とする
火災避難用梯子。
【請求項２】
スタンドオフ型ブラケットをさらに備え、
前記スタンドオフ型ブラケットは、前記梯子のセクションに固定して、前記梯子の下端とそれを立てかけた壁との間の距離を維持させる、ことを特徴とする
請求項１に記載の梯子。
【請求項３】
前記スタンドオフ型ブラケットは、前記梯子から分離可能であるアタッチメントとして形成される
ことを特徴とする請求項２に記載の梯子。
【発明の詳細な説明】
【技術分野】
【０００１】
本発明は、入れ子式折り畳み梯子に関するものであり、火災避難用を目的としている。
【背景技術】
【０００２】
入れ子式折り畳み梯子として次のものが知られている。入れ子式折り畳み梯子は框及びラングを備え、框は、一方が他方の内側にフィットしているチューブセクションにより形成され、各ラングは、各框の1つのセクション上部に固定されている。梯子の延長状態において、チューブセクションは、ばねピンによってそれぞれ相対的にロックされ、ばねピンは、ラングの側端内又は側端上に、取り付けられており、チューブセクションの壁にある穴に係合する。
【発明の目的】
【０００３】
本発明は、入れ子式折り畳み梯子を提供することを目的とし、火災避難の際に使用するのに適している。梯子が、その最上部にあるチューブセクション又は最上部にあるラングによって支えられている場合には、重力の作用によって安全に延長できるように設計されている。
【発明の概要】
【０００４】
本発明によれば、火災避難の際に使用される梯子を提供するものであり、
入れ子式で折り畳み可能なチューブセクションを備える２つの框と、
２つのチューブセクションのそれぞれ上端部に固定された複数のラングと、
ラングの側端部によって支えられ、梯子の延長状態においてチューブセクションを相互にロックするようにチューブセクションの壁にある穴に係合可能な、格納式ばねピンを有し、
上記2つのセクションの各々は、２つの框のそれぞれの一部分をなし、
梯子は、最上部にあるラング又は最上部にある框のチューブセクションから吊るされることが可能となっており、ばねピンと係合可能であるチューブセクションの壁にある穴が、少なくともチューブセクションの軸方向上にあるばねピンと穴の間の自由な遊びがあるように寸法設計されることを特徴としている。
【０００５】
既知の折り畳み式梯子は、例えばEP0527766によって教示されているように、地面に立つように設計され、その重量は最下層セクションで支えられる。梯子は、ピンがチューブセクションの穴に係合し、相互にロックされるまで、上部ラングを持ち上げることによって手動で延ばされる。
ピンは穴にぴったりとフィットし、相対的にラングが動かないようになっている。ダンパーは、一般的に、梯子を畳むときに、ラングが相対的にゆっくりと確実に動くように設けられており、２つのラングの間にオペレータが指を挟まれないようになっている。
【０００６】
対照的に、本発明の梯子は、自重の作用により自動的に開くことを意図している。最上部にあるチューブセクション又はラングが、安全に取り付けられたブラケットに固定された後、梯子は、単に、ブラケットから吊り下げられるだけで、その自重により、入れ子式の框が延長される。梯子が、できる限り素早く展開できるように、減衰を最小化することが好ましい。
【０００７】
しかし、相対的に移動するチューブセクションの速度によっては、ピンとチューブセクションの壁の穴との係合を失敗するリスクがある。それにより、ラングはそのロック位置を越えて下降するおそれがあり、安全でない梯子を提供することになってしまう。
【０００８】
そのような事態の発生を防ぐために、チューブセクションの壁にある穴が軸方向に細長くなっている。これにより、梯子が展開されたときにピンが常に穴に係合することを保証する。自由な遊びがあることにより、ラングとその上のラングとの距離を小さくさせるために、ラングを上方に移動させることができる。しかしながら、火災避難の用途として、人々は、ラングに対して下向きの力を加えるので、自由な遊びは、実用面では重要ではないだろう。
【０００９】
使用後、梯子を折り畳むには、まず始めに、その支えているブラケットを取り除き、ピンを手動で引き込む。一度に1ペアづつ、最下位ラングのピンから始め、上に向かって作業は進められる。
【００１０】
本発明の好ましい実施形態において、梯子とそれを立てかけた壁との間の距離を維持するために、回転可能なブラケットを梯子の最下セクションに設けて、スタンドオフとして機能させてもよい。
本発明は、添付図面で参照しながら、実施例により、さらに説明される。
【図面の簡単な説明】
【００１１】
【図１】図1は、折り畳まれた状態における、既知の折り畳み式梯子の上部３つのセクションの断面を示す。
【００１２】
【図２】図2は、図1の框の一つのチューブセクションの斜視図である。
【００１３】
【図３】図3は、本発明の折り畳み式梯子の上部３つのセクションを介したセクションを示し、３つのセクションの最下部セクションは、延長された状態にある。
【００１４】
【図４】図4は、図2と同様に、図3にある梯子の框の一つにおけるチューブセクションを示している斜視図である。
【００１５】
【図５】図5は、本発明の実施形態を示し、最下部セクションが、折り畳まれたスタンドオフ型ブラケットにフィットし、そのブラケットはその折り畳まれた状態で示されている。
【００１６】
【図６】図6は、スタンドオフ型ブラケットがその展開位置に枢動した図5の実施形態を示す。
【００１７】
【図７】図7は、その展開された状態での、スタンドオフ型ブラケットアタッチメントを示す。
【００１８】
【図８】図8は、その折り畳まれた状態での、スタンドオフ型ブラケットアタッチメントを示す。
【図面の詳細な説明】
【００１９】
図1は、従来の入れ子式の折り畳み式梯子の上部3つのセクションの半分だけのセクションを示し、一般的に、10から14個のセクションを有していてもよい。梯子10は、框12とラング14を備えている。框12は、チューブセクション12a、12b及び12cにより形成され、各チューブセクションは隣の内部にぴったり受け入れられるように、次第により大きな直径となっている。チューブセクションは、望遠鏡の管のように框を長くしたり、短くしたり、相対的にスライドすることができる。
【００２０】
ラング14a、14b及び14cは、それらの端部のそれぞれにおいて、2つの框12にある各チューブセクション12a、12b及び12cの上端部に、しっかりと、取り外せないように固定されている。框12が長く延ばされるにつれて、ラングは、延長され又は展開される位置に向って離れていき、框が短くなるにつれ、図１に示されるように、コンパクトな収納配置で、ラングは相互に積み重なる。
【００２１】
一度、梯子が展開された場合、人が梯子の上に立っている時にチューブセクションが相互に入れ子式に入っていかないないようにする必要がある。相対的にチューブセクションをロックするため、ピン16が、ラングの端部に取り付けられ、チューブセクション12a、12b及び12cの下端付近にある穴20に係合される。各ピン16は、ばね18によって付勢され、それは、ピン16上にあるカラー22と、ラング14に固定されている固定支台24との間に作用するものである。手動操作可能な退避レバー26は、各ラングの前面に取り付けられているボタン（図示せず）によって、スライド可能である。
【００２２】
図2は、框の他のチューブセクションから分離したチューブセクション12bを示している。チューブセクション12bには、ラング14cのピン16を受け入れる穴20に加えて、穴28を有し、ラング14bのピン16は、穴28通過してチューブセクション12aの穴20に係合する。
図3及び図4に示す梯子は、図1及び図2に示すものと本質的に同じである。説明を繰り返すことを避け、構成要素には、同様の参照番号であって100番台の番号を割り当てている。図3及び図4に示される本発明の実施形態と従来技術との主な違いは、ピン116と係合する穴120は軸方向に細長く、さらにわずかに広げられている点である。それにより、梯子のチューブセクションが相対的にスピードを出して、移動している場合であっても、ピン116が穴120に係合することがつねに確実になるだろう。
【００２３】
図3の火災避難梯子は、使用の際、建物の窓の近くに折り畳まれた状態で保存される。ブラケットは、建物の外側で窓の近くにしっかりと取り付けられ、展開時、梯子を支えるようになっている。ブラケットは、梯子の上部セクションのみで器具と係合するように設計されており、それは最上部にあるラングの下でシンプルに係合してもよい。上部にあるラングがこのように一度、壁に固定されると、セクションの残りの部分が離され、重力の作用によりに落下する。セクションの間に減衰はなく、したがって、相対的に素早く移動することができる。各ラング114が、その上のラングと接続されたチューブセクションの穴120とぴったりと合っているので、ピン116は、ばね118によって押し出され、穴と係合し、それによって相互にチューブセクションをロックする。
【００２４】
壁に並行に置かれている梯子を降りることは困難であるので、スタンドオフ型ブラケットを提供することが望ましく、梯子が吊り下がっている壁から離れるように、梯子の下端または中間セクションを保持する。
このようなスタンドオフ型ブラケット250は、図5及び6に示される実施形態の場合に提供される。ブラケット250は、オープンフレーム252の形態であり、梯子のラングのうちの1つの上にフィットしているU字形チャネル254と回転可能な状態で接続される。トグル作用のあるばねが、中心を超えた位置にあるブラケット250のオープンフレーム252を保持するのに用いられてもよい。
【００２５】
図5及び図6のスタンドオフ型ブラケットは、分離可能なアタッチメントの形態を有し、図7及び図8に示すが、これとは別に、フレーム252は、梯子にある１つのラング上を直接枢動することもできる。
【００２６】
使用後、梯子を折り畳むためには、まず第一に、壁側のブラケットを持ち上げ、梯子の最下部セクションを地面の上に置く。梯子の全セクションがわずかに動かされ、ピン116と軸方向に細長い穴120の間に隙間ができる。
それから、梯子の最下部セクションのピン116は、手動操作レバー126を用いてばね118の作用に抗して引き込まれる。これによって、梯子の最下部セクションの次のセクションが、そのラングが最下部のラングに積み重なるまで折り畳むことができる。
その工程は、その後一度につき1つのラングに対して繰り返され、梯子110の最下部セクションから最上部セクションへ上に向って作業が進められる。
【図１】
2015526618.tif 000003
【図２】
2015526618.tif 000004
【図３】
2015526618.tif 000005
【図４】
2015526618.tif 000006
【図５】
2015526618.tif 000007
【図６】
2015526618.tif 000008
【図７】
2015526618.tif 000009
【図８】
2015526618.tif 000010
【手続補正書】
【提出日】平成27年3月27日(2015.3.27)
【手続補正１】
【補正対象書類名】特許請求の範囲
【補正対象項目名】全文
【補正方法】変更
【補正の内容】
【特許請求の範囲】
【請求項１】
火災避難の際に使用される梯子であって、前記梯子は、入れ子式の折り畳み式チューブセクションを備える2つの框と、2つの前記チューブセクションのそれぞれ上端部に固定された複数のラングと、前記ラングの側端部によって支えられ、前記梯子の延長状態において前記チューブセクションを相互にロックするように前記チューブセクションの壁にある細長い形状の穴に係合する、格納式ばねピンを有し、前記2つのセクションの各々は、前記2つの框のそれぞれの一部をなし、前記梯子は、最上部にある前記框の前記チューブセクションから吊るされることが可能となっており、前記ばねピンと係合可能である前記チューブセクションの壁にある前記穴が、少なくとも前記チューブセクションの軸方向上にある前記ばねピンと前記穴の間の自由な遊びがあるように寸法設計されていることを特徴とする火災避難用梯子。
【請求項２】
スタンドオフ型ブラケットをさらに備え、前記スタンドオフ型ブラケットは、前記梯子のセクションに固定して、前記梯子の下端とそれを立てかけた壁との間の距離を維持させる、ことを特徴とする請求項１に記載の梯子。
【請求項３】
前記スタンドオフ型ブラケットは、前記梯子から分離可能であるアタッチメントとして形成されることを特徴とする請求項２に記載の梯子。  
【国際調査報告】
2015526618.tif 000011
2015526618.tif 000012